(57)【特許請求の範囲】
【請求項１】
中央部に一又は複数の頂点を有し、該頂点から漸次斜め下方に傾斜する凸状稜線が四方向に形成された治具本体を有し、ホイールのリム部の外周面の一部分が上記稜線に当接することによりホイールが支持されるように構成したことを特徴とするホイールの支持治具。
【請求項２】
前記四方向に形成された凸状稜線間に、前記頂点から四方向に漸次下方傾斜する凹状稜線が形成された請求項１記載のホイールの支持治具。
【請求項３】
請求項１又は２記載の支持治具を複数個具備し、これら複数個の支持治具により内部に複数のホイールを支持するように構成したことを特徴とするバスケット。
【発明の詳細な説明】
【０００１】
【発明の属する技術分野】
本発明は、自動車等に用いられるホイールを脱脂洗浄したり、洗浄工程に又は洗浄工程から移動等する場合にホイールを支持するための支持治具及び該支持治具を用いたバスケットに関し、更に詳述すると、ホイールを起立させた状態で安定的に支持でき、この状態でホイール全面を脱脂洗浄し、移動することができる支持治具及び該支持治具を具備したバスケットに関する。
【０００２】
【従来の技術及び発明が解決しようとする課題】
従来より、自動車等に使用されるホイールの表面に付着した油脂等を除去する脱脂、酸洗、水洗等の洗浄作業では、ホイールを洗浄工程に移動して洗浄し、洗浄後のホイールを所定箇所に移動し、保管したりするものであるが、作業性の面からホイールを予め起立させた状態（以下、「起立状態」という、図５参照）で移動して洗浄することが望ましい。
【０００３】
即ち、ホイールを洗浄する場合には、ホイールのほぼ全面に洗浄液が行き渡らなければ十分な洗浄を行うことができず、ホイールを倒伏させた状態（以下、「倒伏状態」という）では、ホイールの一側面がホイールを支持する面に接触するため、当該接触面を洗浄することが困難であるのに対して、ホイールを起立状態で洗浄すると、ホイールの外周面の一部分だけがホイールを支持する面に接触するだけであり、ホイールを全体的に洗浄することができるようになる。このため、ホイールを起立状態で移動させることにより、作業員がホイールを倒伏状態で移動させて洗浄工程内で該ホイールをその都度起立させる作業をなくすことができ、ホイールの移動、洗浄、保管等の一連の作業を円滑に行うことができるものである。
【０００４】
しかしながら、ホイールを起立状態で移動する場合には、ホイールは回転体であるため前後に回転するおそれが生じ、このためホイールを安定的に移動したり、処理することが困難である。
【０００５】
このため、ホイールを起立状態で移動する場合には、該ホイールを支持する面上にホイールの回転を防止する堰体を一組設けることが考えられるが、この場合には、上記堰体間の距離がホイールの外径の大きさとなるように予め調整しなければならずその作業が煩雑であり、またこの状態では、上記堰体と接触する上記ホイールの外周面については十分な洗浄を行うことができなくなり、問題がある。
【０００６】
本発明は、上記事情に鑑みなされたもので、ホイールを起立状態でも安定して支持することができるホイールの支持治具及び該支持治具を具備したバスケットを提供することを目的とする。
【０００７】
【課題を解決するための手段】
本発明は、上記目的を達成するため、中央部に一又は複数の頂点を有し、該頂点から漸次斜め下方に傾斜する凸状稜線が四方向に形成された治具本体を有し、ホイールのリム部の外周面の一部分が上記稜線に当接することによりホイールが支持されるように構成したことを特徴とするホイールの支持治具を提供する。
【０００８】
本発明の支持治具は、自動車等のホイールを支持するための支持治具であり、中央部に一又は複数の頂点を有し、該頂点から漸次斜め下方に傾斜する凸状稜線を四方向に形成したものであり、ホイールのリム部の外周面の一部分が上記稜線に当接することによりホイールが起立状態で支持されるように支持治具を構成してあるので、ホイールを起立状態で移動させても該ホイールが前後に回転することがなく、安定的に移動させることができ、しかもホイールを洗浄をする場合には、該ホイールを上記支持治具に載置させた状態で確実に洗浄することができるものである。
【０００９】
即ち、本発明の支持治具は、図４に示されているように、ホイール６のリム部の外周面の一部分が本発明支持治具１の４個の凸状稜線（稜部）３ａ，３ｂ，３ｃ，３ｄに接触するように構成されているので、起立状態にある上記ホイール６が上記支持治具１により４点で支持されることとなり、これによりホイール６を安定的に支持することができると共に、ホイール６を洗浄する場合でも該ホイールと上記支持治具１との当接箇所ｐが上述した４点箇所だけであるので、ホイール６をほぼ全面に渡り洗浄することが可能となる。
【００１０】
また、本発明は、上記四方向に形成された凸状稜線間に、上記頂点から四方向に漸次下方傾斜する凹状稜線が形成されたホイールの支持治具を提供する。
更に、本発明は、上記支持治具を複数個具備し、これら複数個の支持治具により内部に複数のホイールを支持することを特徴とするバスケットを提供する。
【００１１】
この場合、本発明のバスケットの内部に設けられた支持治具にホイールを複数個支持することができ、これにより多数のホイールを起立させた状態で移動、洗浄、保管等の一連の洗浄作業、その他の処理を同時に円滑に行うことができるものである。
【００１２】
【発明の実施の形態及び実施例】
以下、本発明の実施例につき図面を参照して説明する。
図１〜４は、本発明の一実施例にかかるホイールの支持治具１を示すものであり、この支持治具１は、自動車のホイール等の支持に好適に使用されるものである。
【００１３】
この支持治具１は、図１に示されているように、中央部に頂部２を有し、該頂部２から四方向に漸次斜め下方に傾斜する凸状稜部３ａ，３ｂ，３ｃ，３ｄが形成されていると共に、これら凸状稜部３ａ，３ｂ，３ｃ，３ｄ間に、上記頂部２から四方向に漸次下方傾斜する凹状稜部４ａ，４ｂ，４ｃ，４ｄが形成された治具本体１ａを有する。上記凸状稜部３ａと３ｂ，３ｃと３ｄ、及び凹状稜部４ａと４ｂ，４ｃと４ｄはそれぞれ互いに対向し、同一方向に延びている。また、上記凸状稜部３ａ，３ｂ，３ｃ，３ｄは、それぞれ治具１に円盤状ホイールが起立状態で支持された状態において、そのホイールの径方向に対して傾斜するように形成され、また一方の互いに対向する凹状稜部４ａ，４ｂはそれぞれホイールの径方向に沿って、他方の互いに対向する凹状稜部４ｃ，４ｄはホイールの径方向と直交して（即ち、ホイールの厚さ方向に沿って）形成されている。更に、凸状稜部３ａ，３ｂ，３ｃ，３ｄの先端は、凹状稜部４ａ，４ｂ，４ｃ，４ｄの先端より外方に突出しており、これにより上記稜部により形成される合計８個の三角形状の傾斜面５の下端縁部５ａは、その内側端が頂部２方向に没入した状態にあり、互いに隣接する傾斜面５の下端縁部５ａが平面Ｖ字状に連続して、上記治具本体１ａが平面四角星形に形成されているものである。なお、支持治具１（治具本体１ａ）は、プラスチックや金属などで形成することができる。
【００１４】
この支持治具１に載置するホイール６は、図２，３に示されているように、両端部に環状のリム部７，７が形成され、該リム部の間には中間部がやや小径となる略円盤形状のホイール本体１０が設けられており、上記ホイール６の両側部（端面部）には、内部に所定の形状が施された円板部９と、該円板部と上記ホイール本体１０とを連結する連結片８が５個所定角度変位して形成されているものである。
【００１５】
そして、本発明の支持治具１を用いて上記ホイール６を支持する状態については、図４に示されているように、上記ホイール６のリム部７の外周面の一部分が上記支持治具１の４個の稜部３ａ，３ｂ，３ｃ，３ｄにそれぞれ当接し、該稜部上の当接箇所ｐ，ｐ，ｐ，ｐの４箇所で上記ホイール６が支持されることとなる。これにより、上記ホイール６が回転することを防止することができ、ホイール６を載置した支持治具１ごと移動させてもホイールが上記支持治具１で十分に支持されるものである。
【００１６】
この場合、図５に示されているように、上記支持治具１を複数（図では４個）具備したバスケット１１を構成して、該バスケットにホイール６を支持治具１の個数分だけ載置することにより、ホイール６を配設したバスケット１１ごと洗浄工程内に移動させることができ、作業を円滑に行うことができ、その作業性を優れたものとすることができる。
【００１７】
また、上記支持治具１のホイール６を洗浄する場合には、上述したように、上記ホイール６と上記支持治具１は上記当接箇所ｐ，ｐ，ｐ，ｐの４点のみ接触していることから、洗浄液がホイール６のほぼ全面に行き渡ることが可能となり、ホイール６を支持治具１に載置させた状態で該ホイールを十分に洗浄することができる。
【００１８】
更に、上記支持治具１によれば、上記頂部２から四方向に漸次斜め下方に傾斜する稜部３ａ，３ｂ，３ｃ，３ｄを形成しており、これら稜部上に上記ホイール６のリム部７が当接するものであるから、上記ホイール６の外径とは異なる大きさのホイールについても上記稜部３ａ，３ｂ，３ｃ，３ｄ上で支持することができ、ホイールの大きさ（外径）の如何に拘らずホイールを起立状態に安定支持することができる。
【００１９】
なお、本発明の支持治具及びこれを具備したバスケットは、上記実施例に限定されるものでなく、本発明の要旨を変更しない限り適宜変更することができる。例えば、本実施例の支持治具１は、中央部に頂部２を有し、該頂部から四方向に漸次斜め下方に傾斜する凸状稜部３ａ，３ｂ，３ｃ，３ｄを形成した平面略四角星形状のものとしたが、図６に示されているように、４個の頂部２からそれぞれ四方向に漸次斜め下方に傾斜した稜部３ａ，３ｂ，３ｃ，３ｄを４個形成した四角錐台状に形成することもできる。また、上記頂部２については、本実施例のように必ずしも１個に限定されるものでなく、図６のように２個以上に構成することもできる。更に、本発明のバスケット１１については、その構成、形状等については限定されるものでなく本発明の要旨を逸脱しない限り必要に応じて適宜変更することができる。
【００２０】
本発明の支持治具に支持されるホイール６については、その両端部にリム部７を形成したものを用いるものであり、例えば、単にドラム状やリング状のものは上記ホイールには該当しない。また、上記ホイールは、自動車の用途に限定されるものではなく、他の分野に用いられるホイール形状をしたものに採用することができる。
【００２１】
【発明の効果】
以上説明したように、本発明の支持治具によれば、ホイールを起立させた状態でも上記支持治具により安定に支持させて、安定的に移動させることができ、上記支持治具に支持されたホイールをほぼ全面に渡って洗浄するなどの処理を行うことができる。また、上記支持治具を具備した本発明のバスケットによれば、上記の効果に加えてホイールの移動、洗浄、保管等の一連の洗浄作業が円滑に行うことができ、作業性に優れているものである。
【図面の簡単な説明】
【図１】本発明の一実施例にかかるホイールの支持治具を示す斜視図である。
【図２】同支持治具を用いてホイールを支持した状態を示す右側面図である。
【図３】同支持治具を用いてホイールを支持した状態を示す正面図である。
【図４】同支持治具を用いてホイールを支持した状態を説明する説明図である。
【図５】本発明の一実施例にかかるバスケットを示す斜視図である。
【図６】本発明の他の実施例にかかるホイールの支持治具を示す斜視図である。
【符号の説明】
１  支持治具
２  頂部（頂点）
３ａ，３ｂ，３ｃ，３ｄ  凸状稜部  （稜線）
６  ホイール
７  リム部
１１  バスケット
ｐ  当接箇所
【図１】
0003578197.tif 000002
【図２】
0003578197.tif 000003
【図３】
0003578197.tif 000004
【図４】
0003578197.tif 000005
【図５】
0003578197.tif 000006
【図６】
0003578197.tif 000007